(57)【要約】      （修正有）【課題】一人の幼児の前後単独の保持機能に加えて、二人の幼児をおんぶと前抱っこで身体の前後に一緒に保持することができる双子や年子のキャリアとして有効なベビーキャリアを提供する。【解決手段】一人目の幼児を使用者の後側で保持する後側キャリア体１と、二人目の幼児を使用者の前側で保持する前側キャリア体２とから分離可能に構成されている。そして、後側キャリア体１は、一人目の幼児を保持する後側キャリア部１ａと、後側キャリア部１ａの上端側に一端側が取り付けられ、他端側が後側キャリア部１ａの下端側に係脱自在に連結される左右の肩掛けベルト１ｂを備えている。前側キャリア体２は、幼児を保持する前側キャリア部２ａと、前側キャリア部２ａの上端側に取り付けられて、左右の肩掛けベルト１ｂに係脱可能に連結される左右の連結ベルト２ｂと、前側キャリア部１ａの下端側に取り付けられて身体の腰に装着される腰ベルト２ｃとを備えている。【選択図】図１
0003148444.tif 000002
【実用新案登録請求の範囲】
【請求項１】
二人の幼児を身体の前後で一緒に保持するベビーキャリアであって、
身体の後側で幼児を保持する後側キャリア体と、身体の前側で幼児を保持する前側キャリア体と、から合体・分離可能に構成され、
前記後側キャリア体は、少なくとも幼児の尻から背中に掛けて包み込むように保持する後側キャリア部と、
この後側キャリア部の上端側に一端側が取り付けられ、他端側が前記後側キャリア部の下端側に係脱自在に連結される左右の肩掛けベルトと、を備え、
前記前側キャリア体は、少なくとも幼児の尻から背中に掛けて包み込むように保持する前側キャリア部と、
この前側キャリア部の上端側に取り付けられて、前記後側キャリア体の前記左右の肩掛けベルトに着脱可能に連結される左右の連結ベルトと、
前記前側キャリア部の下端側に取り付けられて、身体の腰に装着される腰ベルトと、を備えていることを特徴とするベビーキャリア。
【請求項２】
前記前側キャリア体は、前記後側キャリア体から分離されて単独で使用されるときに、前記左右の連結ベルトに両端側が着脱可能に連結されるタスキ掛けベルトを、さらに備えていることを特徴とする請求項１に記載のベビーキャリア。
【請求項３】
前記前側キャリア体は、前記後側キャリア体から分離されて単独で使用されるときに、前記左右の連結ベルトに一端側がそれぞれ着脱可能に連結されるとともに、他端側が前記腰ベルトに着脱自在に連結される両肩掛けベルトを、さらに備えていることを特徴とする請求項１に記載のベビーキャリア。
【請求項４】
前記前側キャリア体は、前記前側キャリア部の上端側に下端側が取り付けられ、上端側が前記前側キャリア体の前記両肩掛けベルト、または、前記後側キャリア体の前記左右の肩掛けベルトに係脱自在に連結されるヘッドサポートを備え、かつ、前記ヘッドサポートが不使用のときに収納する収納部を前記前側キャリア部に備えていることを特徴とする請求項１から請求項３のいずれかに記載のベビーキャリア。
【考案の詳細な説明】
【技術分野】
【０００１】
本考案は、双子や年子の二人の幼児を身体の前後でそれぞれ一緒に保持するために使用されるベビーキャリアに関する。
【背景技術】
【０００２】
一人の幼児をおんぶの保持形態や前側抱っこ（前向き抱っこや対面抱っこ）の保持形態で身体の前後でそれぞれ別々に保持（キャリア）することができるように形成されているベビーキャリアは、種々の形態が提案されている（例えば、特許文献１および特許文献２参照）。
この特許文献１および特許文献２に記載されているベビーキャリアは、背当布の上端に背当紐を設け、この背当紐の両端に肩紐を縫着するとともに、この肩紐の上面に取り付けたベルトの下端を背当布に設けた帯紐へ係脱自在に連結し、さらに、前記肩紐ベルトの上端をカバー部材の補強紐の連結ベルトに伸縮自在に連結し、前記背当紐に、前記カバー部材と背当板とを着脱自在に組み付けた構成としている。
【特許文献１】特開平６−２５３９５９号公報（段落番号０００５〜０００７、及び図１、図８参照）
【考案の開示】
【考案が解決しようとする課題】
【０００３】
ところで、前記した特許文献１に記載のベビーキャリアは、一人の幼児を、おんぶと抱っこでそれぞれ別々に保持することができることから、一人の幼児を持つ親にとっては大変便利である。
しかしながら、双子の幼児やキャリアを必要とする年子の幼児を持つ親が、二人を身体の前後で一緒（同時）に保持することができないために、従来では、一人目の幼児をベビーキャリアに用いて背中におんぶし、二人目の幼児は片手か両手を使って抱っこする保持状態で移動しなければならない。
そのために、二人の幼児を持つ親がスーパーなどに買い物などに出かけるなどのときには、開いている片手で陳列棚などから商品を取り出さなければならず不便であり、特に、買い物袋を両手で持つことができないために、片手で持てる分の商品量しか買い求めることができないばかりか、親に対しても大きな負担になっていた。
【０００４】
そこで、本考案は、前記課題を解消するために創案されたものであり、一人の幼児をおんぶと前抱っことの双方の状態でそれぞれ単独に保持することができる前後単独の保持機能に、二人の幼児をおんぶと前抱っこで身体の前後で一緒（同時）に保持することができる前後同時の保持機能をさらに加えた双子や年子のキャリアとして有効なベビーキャリアを提供することにある。
【課題を解決するための手段】
【０００５】
前記課題を解決するために、本考案は、二人の幼児を身体の前後でそれぞれ一緒に保持するためのベビーキャリアであって、
幼児を身体の後側で保持する後側キャリア体と、幼児を身体の前側で保持する前側キャリア体と、から分離可能に構成してなり、前記後側キャリア体は、少なくとも幼児の尻から背中に掛けて包み込むように保持する後側キャリア部と、この後側キャリア部の上端側に一端側が取り付けられ、他端側が前記後側キャリア体の下端側に係脱自在に連結される左右の肩掛けベルトとを備え、前記前側キャリア体は、少なくとも幼児の尻から背中に掛けて包み込むように保持する前側キャリア部と、この前側キャリア部の上端側に取り付けられて身体の腰に装着される腰ベルトを備えていることを特徴とする。
ここで、前記連結部材は、雄雌一対からなるバックルであることが好適なものとなる。これにより、前記前側キャリア体の前記前側キャリア部の上端側を、前記後側キャリア体の前記左右の肩掛けベルトに連結させるとき、そして、前記腰ベルトを身体の腰に巻き付けるときなどの着脱性が簡便とする。
【０００６】
また、前記前側キャリア体は、前記後側キャリア体から分離されて単独で使用されるときに、前記左右の連結ベルトに両端側が着脱可能に連結される肩掛けベルトおよび／または前記前側キャリア体は、単独で使用されるときに、前記左右の連結ベルトに、前記左右の肩掛けベルトに替えて分離可能に連結される肩掛けベルトを、または、前記左右の連結ベルトに一端側が着脱可能に連結されるとともに、他端側が前記腰ベルトの他端側に着脱自在に連結される左右の肩掛けベルトをさらに備えていることを特徴とする。
さらに、前記前側キャリア体は、前記前側キャリア部の上端側に下端側が逢着され、上端側が前記前側キャリア体の前記左右の肩掛けベルト、または、前記後側キャリア体の前記左右の肩掛けベルトに連結部材を介して係脱自在に保持されるヘッドサポートを備え、かつ、前記ヘッドサポートが不使用のときに収納する収納部を前記前側キャリア部に備えていることが好適なものとなる。
【０００７】
このような構成によれば、前側キャリア部の上端側を左右の連結ベルトによって後側キャリア体の左右の肩掛けベルトにそれぞれ連結し、前側キャリア体の腰ベルトを身体の腰に巻き付け、後側キャリア体は左右の肩掛けベルトによる一般的な装着形態で身体の背中に装着する。
これにより、後側キャリア部によって一人目の幼児をおんぶし、二人目の幼児を前側キャリア部によって抱っこ（前向き抱っこ、対面抱っこ）する保持形態で双子や年子の二人の幼児を身体の前後に一緒に保持することができる。
【０００８】
そして、例えば、お父さんとお母さんとで双子や年子の幼児をそれぞれ個々に保持するときには、後側キャリア体の左右の肩掛けベルトに対する左右の連結ベルトによる前側キャリア部の連結状態を解除して、前側キャリア体を後側キャリア体から分離する。つぎに、前側キャリアの左右の連結ベルトに付属の肩掛けベルトの両端側をそれぞれ連結させて付属の肩掛けベルトを取り付け、この肩掛けベルトを片方の肩から背中へとタスキ状に掛け、そして腰ベルトを腰に巻き付けることで、前側キャリア体単独で幼児を抱っこの保持形態で保持することができる。
また、前側キャリアの左右の連結ベルトに付属の左右の肩掛けベルトの上端側をそれぞれ連結させ、下端側を腰ベルトの他端側に連結させて付属の左右の肩掛けベルトを取り付け、この左右の肩掛けベルトを両肩に背中へと掛ける一般的な装着形態（やり方）で、前側キャリア体を身体の背中または前側に装着することで、前側キャリア体単独で幼児をおんぶや抱っこの保持形態で保持することができる。
一方、後側キャリア体は、左右の肩掛けベルトによる一般的な装着形態で身体の背中または前側に装着することができる。
これにより、双子や年子の二人の幼児をお父さんとお母さんとでそれぞれ別々に保持することができる。
【考案の効果】
【０００９】
本考案によれば、双子やキャリアを必要とする年子の二人の幼児をおんぶと抱っこの保持形態で身体の前後で一緒（同時）に保持することができる。
また、前側キャリア体を後側キャリア体から分離し、前側キャリア部に付属の肩掛けベルト（タスキ掛けベルト）または左右の肩掛けベルトを取り付けることで、例えば、お父さんとお母さんとで、二人の幼児をそれぞれ別々におんぶや抱っこ（前向き抱っこや対面抱っこ）の保持形態で保持することができる。つまり、一人用のベビーキャリアとして後側キャリア体と前側キャリア体をそれぞれ別々に使用することができる。
【考案を実施するための最良の形態】
【００１０】
以下、本考案の実施形態について、適宜図面を参照しながら詳細に説明する。
図１は、本実施形態に係るベビーキャリアの後側キャリア体と前側キャリア体とを合体させた状態を示す斜視図である。
【００１１】
≪ベビーキャリアの構成≫
ベビーキャリアＡは、図１に示すように、後側キャリア体１と前側キャリア体２とから合体・分離可能に構成されている。
【００１２】
≪後側キャリア体の構成≫
図２は、後側キャリア体を単体で示す展開図であり、図３は、同後側キャリアの斜視図である。ここでは、図１を適宜参照しながら説明する。
後側キャリア体１は、幼児ｂの尻から背中に掛けて幼児ｂを包み込むように保持する後側キャリア部１ａと、この後側キャリア部１ａの上端両側に一端側が縫着によって取り付けられるとともに、他端側が後側キャリア部１ａの下端両側に係脱自在に連結される左右の肩掛けベルト１ｂとを備えて構成されている。
【００１３】
後側キャリア部１ａは、通気性に優れ、柔らかなディンプル生地などから内張り素材の表面側に撥水性に優れた外張り素材が宛がわれている適宜の厚さを有するシート地材を用いて形成されている。
この後側キャリア部１ａは、図２および後記の図１０に示すように、幼児ｂの尻を受ける尻受け部１ａ−１と、この尻受け部１ａ−１に逢着されて幼児ｂの両脇を含めた背中全体をすっぽりと包み込むように形成されている背当て部１ａ−２とから側面視で略Ｌ字形状を保つように縫製されている。
また、後側キャリア部１ａは、図２および図３に示すように、背当て部１ａ−２の上端部から延設させたヘッドサポート１ａ−３を備えている。このヘッドサポート１ａ−３の両側には左右の肩掛けベルト１ｂに連結させるサポートベルト３が備えられている。このサポートベルト３は、ベルト長さを任意に調節するための調節具を備えている。
これにより、後記の１０図および図１１に示すように、幼児ｂをおんぶの状態、および、前抱っこの状態で保持したときに、幼児ｂの尻から両脇を含めた背中全体をすっぽり包み込むように保持するとともに、幼児ｂの頭を保持するようにしている。
【００１４】
そして、このように形成されている後側キャリア部１ａの尻受け部１ａ−１の両側には雄雌一対からなるバックルのいずれか一方、図示例では雌側バックル４が取り付けられており、左右の肩掛けベルト１ｂの後記する連結部１ｂ−２に取り付けられている雄側バックル５によって、後側キャリア部１ａの下端両側に左右の肩掛けベルト１ｂの他端側が係脱自在に連結されるようにしている。
【００１５】
また、後側キャリア部１には、図２に示すように、雄雌一対のバックル６，７によって係脱自在に連結される補助ベルト８が縫着されて取り付けられている。
補助ベルト８は、幼児ｂの上半身に巻き付けるように装着されるもので、幼児ｂをより安全にサポートすることができるようにしている。
なお、この補助ベルト８は、一方のベルトの長さ方向の中間部に取り付けられているバックルによってベルト長さが任意に調節されるようになっている。これにより、幼児ｂの体格に合せてベルト長さを自在に調節し得る。
【００１６】
左右の肩掛けベルト１ｂは、後側キャリア部１ａの背当て部１ａ−２の上端両側に縫着によって一端側が取り付けられる肩掛け部１ｂ−１と、この肩掛け部１ｂ−１の他端側に縫着によって一端側が取り付けられるとともに、尻受け部１ａ−１の雌側バックル４に係脱自在に連結させる雌側バックル４を備える連結部１ｂ−２とから所定の長さに形成されている。
肩掛け部１ｂ−１は、後側キャリア部と同じシート地材などを用いて幅広で所望の厚さと長さを有する帯状に形成されている。
これにより、後記の図１０および図１１に示すように、幼児ｂをおんぶで保持したときには使用者Ｂの背中から胸元にわたり掛けわたされるように、そして幼児ｂを前抱っこで保持するときには使用者Ｂの胸元から背中にわたり掛けわたされるようになっている。
連結部１ｂ−２は、合成繊維などの丈夫な素材を用いて肩掛け部１ｂ−１の幅よりも幅狭で厚さが薄い帯状に編み込み形成されているベルトからなり、その一端側が肩掛け部１ｂ−１の他端側に縫着によって取り付けられる。そして、この連結部１ｂ−２には尻受け部１ａ−１の雄側バックル４に抜き差し係脱自在に連結させる雌側バックル５がベルト方向に移動可能で、かつ、係止可能に備えられている。
これにより、連結部１ｂ−２に対する雄側バックル５の係止位置を変えることで、左右の肩掛けベルト１ｂの長さを使用者Ｂの体格に合わせて自在に調整することができるようにしている。
【００１７】
また、図１および図２に示すように、左右の肩掛けベルト１ｂにわたり、雄雌一対のバックル９，１０によって係脱自在に連結されるブリッチベルト１１を備えている。
そして、使用しているときに、雄雌一対のバックル９，１０から幼児ｂを保護するための保護カバー１２を備えている。この保護カバー１２は、バックル９，１０を連結させた状態で、ブリッチベルト１１を含めて略筒状に包み込むことができる大きさ（長さ、広さ）に形成されており、雄雌一対のベルベットファスナ１３ａ，１３ｂが備えられている。
これにより、図１０および図１１に示すように、おんぶや前抱っこで使用しているときに、使用者Ｂの両肩から肩掛けベルト１ｂがずり落ちないように、そして、合成樹脂材料などから形成されている雄雌一対のバックル９，１０によって幼児ｂに違和感などを与えないようにしている。
【００１８】
また、左右の肩掛けベルト１ｂの肩掛け部１ｂ−１には、前側キャリア体２と合体させるときに使用するベルト通し環１４を備えているとともに、前側キャリア体２の後記するヘッドサポート２３を係脱自在に連結させる雄雌一対のバックル１５，１６のうち、雌側バックル１５側を備えている。
ベルト通し環１４は、前側キャリア体２の後記する左右の連結ベルト２ｂのベルト幅に相当する円形形状や台形形状に形成されて、左右の肩掛けベルト１ｂの肩掛け部１ｂ−１に取り付けられる。
【００１９】
≪前側キャリア体の構成≫
図４は、前側キャリア体の展開図であり、図５は、前側キャリア部の収納部を開いた状態と、収納部内にヘッドサポートを収納させた状態を示す同展開図である。ここでは、図１を適宜参照しながら説明する。
前側キャリア体２は、図４および後記の図１０に示すように、幼児ｂの尻から背中に掛けて幼児ｂを包み込むように保持する前側キャリア部２ａと、この前側キャリア部２ａの上端両側に一端側が縫着によってそれぞれ取り付けられる左右の連結ベルト２ｂと、前側キャリア部２ａの下端両側に一端側が縫着によって取り付けられる腰ベルト２ｃとを備えて構成されている。
【００２０】
前側キャリア部２ａは、後側キャリア部１ａと同様に、通気性に優れ、柔らかなディンプル生地などから内張り素材の表面側に撥水性に優れた外張り素材が宛がわれているシート地材を用いて形成されている。
この前側キャリア部２ａは、図４および後記の１０に示すように、幼児ｂの尻を受ける尻受け部２ａ−１と、この尻受け部２ａ−１から延設されて幼児ｂの背中の略全体をすっぽりと包み込むように形成されている背当て部２ａ−２とから、上端側を広く、下端側に至るにしたがって狭くなる縦長で逆向きの略台形形状に形成されている。さらに、尻受け部２ａ−１には使用者Ｂの下腹部または腰に宛がわれるウエストパッド２ａ−３が縫着などによって備えられている。
【００２１】
そして、このように形成されている前側キャリア部２ａの上端両側には、図４に示すように、左右の連結ベルト２ｂの一端側の折返し部が縫着されてそれぞれ取り付けられているとともに、左右の連結ベルト２ｂに備えられる雄雌一対のバックル１７，１８から幼児ｂを保護するための保護カバー１９をそれぞれ備えている。
【００２２】
左右の保護カバー１９は、雄雌一対のバックル１７，１８を連結させた状態で、左右それぞれの連結ベルト２ｂの一部を含めて略筒状に包み込むことができる大きさ（長さ、広さ）で前側キャリア部２ａの上端両側から延設されて備えられる。そして、この左右の保護カバー１９には雄雌一対のベルベットファスナ２０ａ，２０ｂがそれぞれ備えられている。
これにより、図１０および後記の図１２の（ｂ）に示すように、幼児ｂを対面抱っこ（前抱っこ）しているときに、幼児ｂの脇の下などに位置する合成樹脂材料などから形成されている雄雌一対のバックル１７，１８によって幼児ｂに違和感などを与えないようにしている。
【００２３】
左右の連結ベルト２ｂは、前記左右の肩掛けベルト１ｂの連結部１ｂ−２と同じく合成繊維などの丈夫な素材を用いて編み込み形成されている。そして、前側キャリア部２ａ−２の上端両側に縫着されて取り付けられる一端側に雄雌一対の雌側バックル１７が取り付けられ、他端側に雄型バックル１８が、ベルト長さを任意に調節することができるように取り付けられている。
このように、雄雌一対のバックル１７，１８を備えて前側キャリア部２ａ−２の上端両側に縫着されて取り付けられる左右の連結ベルト２ｂは、図１および後記の図１０に示すように、後側キャリア体１の左右の肩掛けベルト１ｂにそれぞれ備えられているベルト通し環１４に雄側バックル１８が備えられているベルト側を通して雄側バックル１８を雌側バックル１７に挿し込み連結させることで、図１に示すように、前側キャリア体２を後側キャリア体１に合体させるものである。
【００２４】
尻受け部２ａ−１は、幼児ｂの尻を受ける程度の大きさに形成されている。この尻受け部２ａ−１に縫着などによって取り付けられるウエストパッド２ａ−３は、内側に所望な材料か板状に形成され、適宜の可撓性を有する芯材（図示省略）が内在されている。
これにより、腰ベルト２ｃを使用者Ｂの腰に巻き付け装着したときに、後記の図１０に示すように、ウエストパッド２ａ−３が使用者Ｂの下腹部に密着して幼児ｂの尻を安定よく保持することができるようになっている。
【００２５】
ウエストパット２ａ−３の両側に取り付けられる腰ベルト２ｃは、左右の肩掛けベルト１ｂの連結部１ｂ−２や左右の連結ベルト２ｂと同じ素材等によって適宜の長さと幅を有する帯状（ループ状）に形成されている。この腰ベルト２ｃは、一端側が尻受け部２ａ−１の両側に縫着により夫々取り付けられるとともに、他端側に至るベルト途中には雄雌一対のバックル２１，２２をそれぞれ備えている。
これにより、使用者Ｂの腰に巻き付けるように腰ベルト２ｃを装着することにより、尻受け部２ａ−１を使用者Ｂの下腹部または腰で支えるようにしている。また、ベルト長さを使用者Ｂの体格に合わせて任意に調節できるようにしている。
【００２６】
また、図４、図５、および後記の図１０に示すように、前側キャリア体２の前側キャリア部２ａの上端側に、幼児ｂの頭を後方から支持するためのヘッドサポート２３が縫着によって取り付けられている。
ヘッドサポート２１は、幼児ｂの頭に優しく通気性に優れたメッシュなどからなる内側素材と適宜の保形性と撥水性に優れたナイロンなどからなる外側素材との重ね合せ生地を用いて、幼児ｂの頭を包み込む程度の大きさを有する適宜の形状に縫着によって形成されている。
そして、このように形成されているヘッドサポート２３の下端側は、図４および図５に示すように、前側キャリア部２ａに形成されている収納部２４の開口部内に縫着により取り付けられるとともに、上端両側には後側キャリア体１の左右の肩掛けベルト１ｂに備えられている雌側バックル１５に係脱自在に連結させる雄側バックル１６を備えているサポートベルト２５が縫着により取り付けられている。
これにより、後記の１０図に示すように、前側キャリア体２によって対面抱っこで保持される幼児ｂの頭を支えるようにヘッドサポート２３が定形保持されるようになっている。
【００２７】
ヘッドサポート２３が不使用のときに収納される収納部２４は、前側キャリア部２ａがシート地材を用いて縫着されるときに、背当て部２ａ−２の上縁側を除いて縫着することによって、背当て部２ａ−２の表面側に上部開口の袋状に形成されるものである。
そして、この収納部２４の開口部内における背当て部２ａ−２1の外張り素材の裏側（収納部２４内側）と内張り素材の裏側に雄雌一対からなるベルベットファスナ２６ａ，２６ｂが備えられており、図５の（ｂ）に示すように、収納されたヘッドサポート２３が不用意に飛び出したりしないように収納部２４の開口部を閉じることができるようにしている。
【００２８】
また、図４および図５に示すように、ヘッドサポート２４の下端両側を除くその中央部位を適宜の形状にて上向きに抉る。例えば、適宜大きさの略半円状等に抉るように開口せしめることによって、ヘッドサポート２３を収納部２４から取り出して上端両側を左右の肩掛けベルト１ｂに連結したときに幼児ｂの肩から首筋などが露出するようにしている。
このように、ヘッドサポート２１の下端縁に開口部２７を設けることによって、通気性を良好となし、蒸れたりすることがない快適な状態で幼児ｂを前向き抱っこすることが可能になる。加えて、ヘッドサポート２３は、通気性に優れたメッシュなどからなる内張り素材と適宜の保形性と撥水性に優れたナイロン等からなる外張り素材との合わせ生地からなることで、汚れが落ち易く、洗濯などによるお手入れも簡単にできる。
【００２９】
また、本実施形態では、前側キャリア体２を後側キャリア体１から分離させて単独で使用するときに、前側キャリア体２に装着されて使用されるタスキ掛けベルト２８と、両肩掛けベルト２９とをそれぞれ備えている。
これにより、後記の図１２に示すように、前側キャリア体２単独で、幼児ｂを前側抱っこ（前向き抱っこや対面抱っこ）で保持できるようにしている。
【００３０】
≪タスキ掛けベルトの構成≫
図６は、タスキ掛けベルトを示す平面図であり、図７は、同タスキ掛けベルトを前側キャリア体に装着した状態を示す斜視図である。
タスキ掛けベルト２８は、後側キャリア体１の左右の肩掛けベルト１ｂを構成する肩掛け部１ｂ−１と同じく、後側キャリア部１ａと同じシート地材などを用いて幅広で所望の厚さと長さを有する帯状に形成されている。
そして、図６に示すように、タスキ掛けベルト２８の両端側には、後側キャリア体１の左右の肩掛けベルト１ｂに備えられているベルト通し環１４と同じ形状・構造を呈しているベルト通し環１４−１がそれぞれ備えられている。
これにより、前側キャリア体２の左右の連結ベルトをタスキ掛けベルト２８のベルト通し環１４−１に通してタスキ掛けベルト２８を前側キャリア体２に装着することにより、前側キャリア体２を、後記の図１２の（ａ）に示すように、タスキ状態で使用者Ｂの前側に単独で保持できるようにしている。
【００３１】
≪両肩掛けベルトの構成≫
図８は、両肩掛けベルトを示す背面図であり、図９は、同両肩掛けベルトを前側キャリア体に装着した状態を示す正面図である。
両肩掛けベルト２９は、タスキ掛けベルト２８と同じく幅広で所望の厚さと長さを有する帯状に形成されている一対のベルト部材２９ａ，２９ｂを、図に示すように、一端側において交差させた状態で縫着している。そして、交差させたベルト部材２９ａ，２９ｂの一端側に、前側キャリア体２の腰ベルト２ｃに備えられている雄雌一対のバックル２１，２２に対し、それぞれ係脱自在に連結させる雄側バックル２１−１と雌側バックル２２−１をそれぞれ備えている。
そして、図８に示すように、一対のベルト部材２９ａ，２９ｂの他端側には、後側キャリア体１の左右の肩掛けベルト１ｂに備えられているベルト通し環１４と同じ形状・構造を呈しているベルト通し環１４−２と、雌側バックル１５−１がそれぞれ備えられている。
これにより、前側キャリア体２の左右の連結ベルト２ｂを両肩掛けベルト２６のベルト通し環１４−２に通して両肩掛けベルト２６を前側キャリア体２に装着することにより、前側キャリア体２を、後記の図１２の（ｂ）に示すように、両肩掛け状態で使用者Ｂの前側に単独で保持できるようにしている。
【００３２】
[作用説明]
つぎに、以上のように後側キャリア体１と前側キャリア体２とから合体・分離可能に構成されている本実施形に係るベビーキャリアＡの使用について簡単に説明する。
図１０は、後側キャリア体と前側キャリア体とを合体させて二人の幼児をおんぶと対面抱っこ一緒に保持しているときの状態をから見たときの斜視図であり、図１１は、分離された後側キャリア体で一人の幼児を、おんぶと対面抱っこでそれぞれ保持している状態を、使用者の側面と斜め前側から見たときの側面図および斜視図であり、図１２は、分離された前側キャリア体で一人の幼児を対面抱っこで保持している状態を、使用者の前側から見たときのそれぞれの正面図である。ここでは、図２を適宜参照しながら説明する。
【００３３】
まず初めに、後側キャリア体１と前側キャリア体２とを合体させて、二人の幼児ｂをおんぶと対面抱っこで同時に使用するときについて説明する。
この合体使用では、後側キャリア体１の左右の肩掛けベルト１ｂに備えられている左右のベルト通し環１４の一方側に、前側キャリア体２の左右の連結ベルト２ｂの一方側を通して後側キャリア体１と前側キャリア体２とを仮合体させる。この仮合体状態で後側キャリア体１の後側キャリア部１aに一人目の幼児を保持させておんぶする単独使用と同じ周知の取り扱い方で後側キャリア部１aを使用者Ｂに背中に装着する。
つぎに、一方の連結ベルト２ｂのみで仮合体状態にある前側キャリア体２の腰ベルト２ｃを使用者Ｂに腰に装着し、二人目の幼児ｂを前側キャリア部２ａで包み込むように前抱っこ状態を保った状態で、もう一方の連結ベルト１ｂを後側キャリア体１のもう一方の肩掛けベルト２ｂのベルト通し環１４に通して前側キャリア体２を後側キャリア体１に完全合体させることで、図１０に示すように、使用者の前後で二人の幼児をおんぶと対面抱っこで同時に保持することができる。
そして、対面抱っこされた幼児がヘッドサポート２３を必要とする場合には、前側キャリア部２ａの収納部２４に収納されているヘッドサポート２３を取り出し、ヘッドサポート２３の左右のサポートベルト２５の雄側バックル１６を、後側キャリア体１の左右の肩掛けベルト１ｂに備えられている雌側バックル１５に挿し込み連結させることで、対面抱っこの幼児の頭を保持させることができる。この場合、幼児ｂの大きさに合わせて雄側バックル１６に対してサポートベルト２５の長さを調節することで、幼児ｂの頭を最適な状態で案体よく保持させることができる。
【００３４】
つぎに、後側キャリア体１と前側キャリア体２とを分離させて、それぞれ単独で使用するときについて説明する。
この単独使用では、後側キャリア体１の場合、周知の取り扱い方で、図の（ａ）（ｂ）にそれぞれ示すように、一人の幼児ｂをおんぶ、そして対面抱っこすることができる。
【００３５】
前側キャリア体２の単独使用の場合では、図の（ａ）に示すように、付属のタスキ掛けベルト２０の両側に備えられているベルト通し環１４−１に、前側キャリア体２の左右の連結ベルト２ｂをそれぞれ通して前側キャリア体２にタスキ掛けベルト２８を装着する。つぎに、腰ベルト２ｃを使用者Ｂの腰に装着した後に、幼児を前側キャリア部２ａで包み込むように前抱っこ状態を保った状態で、タスキ掛けベルト２８を片方の肩に掛けることで、図に示すように、幼児を対面抱っこで保持することができる。
また、タスキ掛けベルト２８に変えて、両肩掛けベルト２９を使って幼児ｂを対面抱っこする場合には、両肩掛けベルト２９に備えられている左右のベルト通し環１４−２に、前側キャリア体２の左右の連結ベルト２ｂをそれぞれ通して前側キャリア体２に両肩掛けベルト２９を装着する。
つぎに、周知の取り扱い方で、幼児を前側キャリア部２で包み込むように対面抱っこ状態を保ちながら両肩掛けベルト２９を両肩に掛けて背中にわたし、両肩掛けベルト２９に備えられている雄側バックル２１−１を、腰バンド２ｃの雌側バックル２２に、そして雌側バックル２２−１と腰ベルト２ｃの雄側バックル２１にそれぞれ連結させることで、図の（ｂ）に示すように、幼児を対面抱っこで保持することができる。この場合、前記したように、ヘッドサポート２３を必要とする幼児ｂにはヘッドサポート２３で頭を最適な状態で案体よく保持させることができる。
【００３６】
なお、前記した後側キャリア体１と前側キャリア体２とを合体させて使用する場合の身体の装着手順、そして、特に、前側キャリア体２を単独で使用する場合の身体への装着手順などは一例であって、特に限定されるものではない。
【００３７】
このように本実施形態に係るベビーキャリアＡによれば、一人の幼児ｂをおんぶと対面抱っことの双方の状態でそれぞれ単独に保持することができ、しかも、二人の幼児ｂをおんぶと対面抱っこで一緒（同時）に保持することができるものである。
【図面の簡単な説明】
【００３８】
【図１】本実施形態に係るベビーキャリアを構成する後側キャリア体と前側キャリア体とを合体させた状態を示し、（ａ）は、同合体状態の斜視図であり、（ｂ）は、後側キャリア体と前側キャリア体と合体部（連結部）を示す要部の縦断側面図であり、（ｃ）は、同横断平面図である。
【図２】後側キャリア体の単体で示す展開図である。
【図３】同後側キャリア体の斜視図である。
【図４】前側キャリア体の単体で示す展開図である。
【図５】尻受け部側を省略して示す同展開図で、（ａ）は、前側キャリア部の収納部の開口部を開いた状態を示し、（ｂ）は、収納部内にヘッドサポートを収納させた状態を示す。
【図６】タスキ掛けベルトを示す平面図である。
【図７】同タスキ掛けベルトを前側キャリア体に装着した状態を示す斜視図である。
【図８】両肩掛けベルトを示す平面図である
【図９】同両肩掛けベルトを前側キャリア体に装着した状態を示す斜視図である。
【図１０】後側キャリア体と前側キャリア体とを合体させて二人の幼児をおんぶと前側抱っこで一緒に保持しているときの使用状態を、使用者の斜め前側から見たときの斜視図である。
【図１１】分離された後側キャリア体で一人の幼児を、おんぶと対面抱っこでそれぞれ保持している状態を示し、（ａ）は、おんぶの状態を、使用者の側面から見たときの側面図であり、（ｂ）は、対面抱っこの状態を、使用者の斜め前側から見たときの斜視図である。
【図１２】分離された前側キャリア体で一人の幼児を対面抱っこでそれぞれ保持している状態を示し（ａ）は、タスキ掛けベルトを使用して幼児を対面抱っこで保持している状態を、使用者の前側から見たときの正面図であり、（ｂ）は、両肩掛けベルトを使用して幼児を対面抱っこで保持している状態を、使用者の前側から見たときの正面図である。
【符号の説明】
【００３９】
Ａ      ベビーキャリア
１      後側キャリア体
１ａ    後側キャリア部
１ａ−１  尻受け部
１ａ−２  背当て部
１ｂ    肩掛けベルト
２      前側キャリア体
２ａ    前側キャリア部
２ｂ    連結ベルト
２ｃ    腰ベルト
２３    ヘッドサポート（前側キャリア体）
２４    収納部
２８    タスキ掛けベルト
２９    両肩掛けベルト
【図１】
0003148444.tif 000003
【図２】
0003148444.tif 000004
【図３】
0003148444.tif 000005
【図４】
0003148444.tif 000006
【図５】
0003148444.tif 000007
【図６】
0003148444.tif 000008
【図７】
0003148444.tif 000009
【図８】
0003148444.tif 000010
【図９】
0003148444.tif 000011
【図１０】
0003148444.tif 000012
【図１１】
0003148444.tif 000013
【図１２】
0003148444.tif 000014